【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】  少なくとも２種の独立して変動するモノマーのセットから重合された複数のコポリマーを含む多次元コポリマーアレイであって、前記重合が以下の工程により特徴付けられるものであるコポリマーアレイ：
（ａ）変動しない重合性官能基を有する第１の同族の変動する系列のモノマーを選択する工程；
（ｂ）前記第１の系列のモノマーの重合性官能基と反応してコポリマーを生成する、変動しない重合性官能基を有する少なくとも１種の追加の同族の変動する系列の異なるモノマーを選択する工程；及び
（ｃ）前記第１のモノマー系列から選択された複数のモノマーを、前記追加のモノマー系列のそれぞれから選択された複数のモノマーと別々に反応させて前記複数のコポリマーを生成する工程：
ここで、前記モノマー系列の前記同族の変動は、前記コポリマーの少なくとも１つの最終用途特性において前記コポリマーの少なくとも２つの異なる構造的特徴における独立した変動の効果を決定するように選択される。
【請求項２】  少なくとも２種の独立して変動するモノマーのセットから重合された複数のコポリマーを含む多次元縮合型コポリマーアレイであって、前記重合が以下の工程により特徴付けられるものであるコポリマーアレイ：
（ａ）変動しない重合性官能基を有する第１の同族の変動する系列のモノマーを選択する工程；
（ｂ）前記第１の系列のモノマーの重合性官能基と反応し縮合してコポリマーを生成する、変動しない重合性官能基を有する少なくとも１種の追加の同族の変動する系列の異なるモノマーを選択する工程；及び
（ｃ）前記第１のモノマー系列から選択された複数のモノマーを、前記追加のモノマー系列のそれぞれから選択された複数のモノマーと別々に反応させて前記複数の縮合型コポリマーを生成する工程：
ここで、前記モノマー系列の前記同族の変動は、前記コポリマーの少なくとも１つの最終用途特性において前記コポリマーの少なくとも２つの異なる構造的特徴における独立した変動の効果を決定するように選択される。
【請求項３】  コポリマーの少なくとも１つの最終用途特性において前記コポリマーの少なくとも２つの異なる構造的特徴における独立した変動の効果を決定する方法であって、
（ａ）請求項１記載の前記コポリマーアレイの各コポリマーの少なくとも１つの最終用途特性を決定する工程；及び
（ｂ）前記コポリマーのそれぞれについて測定された各最終用途特性の変動を、前記コポリマーの重合に使用された前記モノマー系列内の同族の変動の関数として比較し、前記同族の変動と前記コポリマー内の前記最終用途特性の変動との関係を決定する工程を有し、
これにより特定の最終用途に有用な特性を有する前記複数のコポリマーの特定のメンバーを同定することを特徴とする上記方法。
【請求項４】  少なくとも１つの最終用途特性において、縮合型コポリマーの少なくとも２つの異なる構造的特徴における独立に変化する効果を決定する方法であって、
（ａ）請求項２の前記コポリマー配列のそれぞれのコポリマーの少なくとも１つの最終用途特性を測定し、そして、
（ｂ）前記コポリマーの夫々に対して測定した夫々の最終用途特性における変化を、前記コポリマーが重合された前記モノマー系列内の相同変化の関数として比較して、前記相同変化と前記コポリマー中の前記最終用途特性の変化との間の関係を決定し、特定の最終用途に対して有用な性質を有する前記複数のコポリマーの特定のメンバーを同定する、
事を特徴とする方法。
【請求項５】  次の構造を有する繰返し単位を含むポリアリーレート：
【化１】
2002511508.tif 000001
（ここで、Ｒは、１８個までの炭素原子を含む飽和及び不飽和、置換及び非置換アルキル、アリール及びアルキルアリール基から成る群から選ばれ、Ｒ1は、−ＣＨ＝ＣＨ−、（−ＣＨ2−）a及び−ＣＨＮ（Ｌ1Ｌ2）から成る群から選ばれ、ａは０〜８の数であり、Ｌ1とＬ2は、独立して、水素及び１８個までの炭素原子を含む直鎖及び分岐アルキル及びアルキルアリール基から成る群から選ばれ、但し、Ｌ1とＬ2は、同時に水素であることはなく、ｂは、独立して、０〜８の数であり、Ｒ2は、１８個までの炭素原子を含む直鎖及び分岐アルキル及びアルキルアリール基から成る群から選ばれ、Ｒ、Ｒ2の少なくとも１つは、及びＲ1が−ＣＨＮＬ1Ｌ2、Ｌ1又はＬ2である時は、少なくとも１つのエーテル結合を含む）。
【請求項６】  Ｒ1が、−ＣＨ2−ＣＨ2−であり、ｂが１であり、Ｒ又はＲ2の少なくとも１つが、少なくとも１つのエーテル結合を含む請求項５に記載のポリアリーレート。
【請求項７】  Ｒ2が、水素、エチル、ブチル、オクチル及びベンジルからなる群から選択され、Ｒが、少なくとも１つのエーテル結合を含む請求項６に記載のポリアリーレート。
【請求項８】  Ｒが、−ＣＨ2−Ｏ−ＣＨ2−又は−ＣＨ2−Ｏ−ＣＨ2ＣＨ2−Ｏ−ＣＨ2−である請求項７に記載のポリアリーレート。
【請求項９】  Ｒが、−ＣＨ2−Ｃ（＝Ｏ）−、−ＣＨ2−ＣＨ2−Ｃ（＝Ｏ）−、−ＣＨ＝ＣＨ−及び（−ＣＨ2−）zからなる群から選択され、かつＺが２〜８の整数である請求項６に記載のポリアリーレート。
【請求項１０】  Ｒ2が、
−ＣＨ2−ＣＨ2−Ｏ−ＣＨ2−ＣＨ2−Ｏ−ＣＨ2−ＣＨ2−ＯＨ
である請求項９に記載のポリアリーレート。
【請求項１１】  以下の構造で示されるチロシン誘導ジフェノール化合物。
【化２】
2002511508.tif 000002
（式中、Ｒ1は、−ＣＨ＝ＣＨ−、（−ＣＨ2−）a及び−ＣＨＮ（Ｌ1Ｌ2）からなる群から選択され、
ａは、０〜８の値を有し、
Ｌ1及びＬ2は、水素並びに１８個までの炭素原子を含有する直鎖及び分岐鎖アルキル及びアルキルアリール基からなる群から独立して選択され、
但し、Ｌ1及びＬ2が同時に水素であることはなく、
ｂは、０〜８の値を独立に有し、そして
Ｒ2は、１８個までの炭素原子を含有する直鎖及び分岐鎖アルキル及びアルキルアリール基からなる群から独立して選択され、
Ｒ2の少なくとも１つ又は、Ｒ1が−ＣＨＮＬ1Ｌ2である場合には、Ｌ1又はＬ2は、少なくとも１つのエーテル結合を含む。）
【請求項１２】  Ｒ1が、−ＣＨ2−ＣＨ2−であり、ｂが１であり、Ｒが、少なくとも１つのエーテル結合を含む請求項１１に記載のジフェノール。
【請求項１３】  Ｒ2が、
−ＣＨ2−ＣＨ2−Ｏ−ＣＨ2−ＣＨ2−Ｏ−ＣＨ2−ＣＨ2−ＯＨ
である請求項１２に記載のジフェノール。
【請求項１４】  Ｒ2が、水素、エチル、ブチル、オクチル及びベンジルから群から選択され、Ｒ1が、−ＣＨＮＬ1Ｌ2であり、Ｌ1又はＬ2の少なくとも１つが、少なくとも１つのエーテル結合を含む請求項１１に記載のジフェノール。
【請求項１５】  Ｌ1又はＬ2の少なくとも１つが、
−ＣＨ2−ＣＨ2−Ｏ−ＣＨ2−ＣＨ2−Ｏ−ＣＨ2−ＣＨ2−ＯＨ
である請求項１４に記載のジフェノール。
【請求項１６】  以下の構造で示される繰り返し単位を有するポリ（アミドエステル）。
【化３】
2002511508.tif 000003
（式中、Ｒ3は、−ＣＨ＝ＣＨ−、（−ＣＨ2−）a及び−ＣＨＮ（Ｌ1Ｌ2）からなる群から選択され、
ａは、０〜２の値を有し、
Ｌ1及びＬ2は、水素並びに１８個までの炭素原子を含有する直鎖及び分岐鎖アルキル及びアルキルアリール基からなる群から独立して選択され、
但し、Ｌ1及びＬ2が同時に水素であることはなく、
Ｒ5及びＲ6が、水素並びに１８個までの炭素原子を含有する直鎖又は分岐鎖アルキル基からなる群からそれぞれ独立して選択され、
Ｒ4が、（−ＣＨ2−）bであり、ｂは、０〜８の値を独立して有し、
Ｒ2は、１８個までの炭素原子を含有する直鎖及び分岐鎖アルキル及びアルキルアリール基からなる群から独立して選択され、そして
Ｒが、１８個までの炭素原子を含有する、飽和及び不飽和でかつ直鎖及び分岐鎖アルキル、アリール及びアルキルアリール基からなる群から独立して選択され、そして
Ｒ、Ｒ2、Ｒ5及びＲ6の少なくとも１つ又は、Ｒ3が−ＣＨＮＬ1Ｌ2である場合には、Ｌ1又はＬ2は、少なくとも１つのエーテル結合を含む。）
【請求項１７】  以下の構造で示される脂肪族−芳香族ジヒドロキシモノマー。
【化４】
2002511508.tif 000004
（式中、Ｒ3は、−ＣＨ＝ＣＨ−、（−ＣＨ2−）a及び−ＣＨＮ（Ｌ1Ｌ2）からなる群から選択され、
ａは、０〜２の値を有し、
Ｌ1及びＬ2は、水素並びに１８個までの炭素原子を含有する直鎖及び分岐鎖アルキル及びアルキルアリール基からなる群から独立に選択され、
但し、Ｌ1及びＬ2が同時に水素であることはなく、
Ｒ5及びＲ6が、水素並びに１８個までの炭素原子を含有する直鎖又は分岐鎖アルキル基からなる群からそれぞれ独立して選択され、
Ｒ4が、（−ＣＨ2−）bであり、ｂは、０〜８の値を独立に有し、
Ｒ2は、１８個までの炭素原子を含有する直鎖及び分岐鎖アルキル基及びアルキルアリール基からなる群から独立に選択され、そして
Ｒ2、Ｒ5及びＲ6の少なくとも１つ又は、Ｒ3が−ＣＨＮＬ1Ｌ2である場合には、Ｌ1又はＬ2は、少なくとも１つのエーテル結合を含む。）